【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
開口部を備えた筐体と、該筐体内に備えられインクを収納した可撓性のインク収納体と、該インク収納体に付設されインクの供給に係わるインク供給体とを備え、記録装置に備えられた接続部材に対して着脱可能にされており、装着されインク供給体と接続部材とが接続された状態で前記筐体と前記インク収納体との間にエアを導入してインク供給するインクカートリッジにおいて、
前記インクカートリッジの前記接続部材の挿抜経路の下流側には第１シールを、上流側には第２シールを備えており、
前記第１シールは、前記接続部材の先端側に備えられたインク導出口と、該インク導出口と前記接続部材の基部との間に配され外部から送られたエアをインクカートリッジ内に導入するエア導入口との間の領域で前記接続部材に対して周接してシールするものであり、
前記第２シールは、前記エア導入口と前記接続部材の基部との間の領域で前記接続部材に対して周接してシールするものとして構成され、前記筺体内と連通する穴が形成されており、前記第２シールに形成された前記筺体内と連通する穴の数は１つであり、前記第１シ−ルと前記第２シールとの間には、前記筐体と前記インク収納体との間の空間に連通する間隙を備えたことを特徴とするインクカートリッジ。
【請求項２】
前記第１シール、第２シールは一体的に構成されており、前記第１シ−ルと第２シールとの間に前記筐体と前記インク収納体との間の空間に連通するエア導通口を備えたことを特徴とする請求項１に記載のインクカートリッジ。
【請求項３】
前記第１シールは前記インク供給体に備えられ、前記第２シールは前記筐体の開口部に備えられていることを特徴とする請求項１または２に記載のインクカートリッジ。
【請求項４】
前記第１シールと前記第２シールは前記第１シールの方が径が小さいことを特徴とする請求項１乃至３のいずれかに記載のインクカートリッジ。
【請求項５】
前記インクカートリッジを取外す際に前記接続部材が前記第２シールに対して摺察して発生する廃インクを回収するインク吸収体を前記筐体内に備えていることを特徴と請求項１乃至４のいずれかに記載のインクカートリッジ。
【請求項６】
前記第１シールの前記第２シールに近い側の面はキャップで覆われていることを特徴とする請求項１乃至５のいずれかに記載のインクカートリッジ。
【請求項７】
前記第２シールの前記筺体から遠い側の面はカバーで覆われていることを特徴とする請求項１乃至６のいずれかに記載のインクカートリッジ。
【請求項８】
前記第１シールは前記第２シールよりも前記接続部材の挿抜経路の下流側に形成されていることを特徴とする請求項１乃至７のいずれかに記載のインクカートリッジ。
【請求項９】
開口部を備えた筐体と、該筐体内に備えられインクを収納した可撓性のインク収納体と、該インク収納体に付設されインクの供給に係わるインク供給体と、を備えたインクカートリッジと、
前記インク収納体内のインクを記録ヘッドに導出するインク導出口を備えたインク導出路と、前記インクカートリッジの前記筐体と前記インク収納体の間の空間部にエアを導入するエア導入口を備えたエア導入路とを備えた接続部材と、該接続部材が配され前記インクカートリッジが装着される装着部と、前記インク導出路と連通して記録ヘッドにインクを供給するインク路と、前記エア導入路と連通しエアを送り出すエアポンプと、を備えた記録装置と、
を備え、前記インクカートリッジが前記装着部に装着された状態で前記インクカートリッジ内にエアが導入されて加圧インク供給がなされるインクジェット記録装置において、
前記接続部材には、その先端側に前記インク導出口が備えられ、このインク導出口と前記接続部材の基部との間に前記エア導入口が備えられて構成され、
前記インクカートリッジには、前記接続部材の挿抜経路の下流側に第１シールが、上流側には第２シールが備えられており、前記第１シールは前記接続部材の前記インク導出口と前記エア導入口との間の領域で前記接続部材に対して周接してシールするものであり、前記第２シールは前記エア導入口と前記接続部材の基部との間の領域で前記接続部材に対して周接してシールするものとして構成され、前記第２シールには前記筺体内と連通する穴が形成されており、前記第２シールに形成された前記筺体内と連通する穴の数は１つであり、前記第１シ−ルと前記第２シールとの間には、前記筐体と前記インク収納体との間の空間に連通する間隙を備えたことを特徴とするインクジェット記録装置。
【請求項１０】
前記第１シールと前記第２シールは同一の径であり、前記接続部材の前記エア導入口と前記インク導出口とは同一径の管体に配されており、これによって前記装着部から前記インクカートリッジを取外す際に前記接続部材は前記第２シールに対して摺察して、前記接続部材に付着したインクが拭われて発生した廃インクを回収するインク吸収体を前記筐体内に備えていることを特徴と請求項９に記載のインクジェット記録装置。
【手続補正２】
【補正対象書類名】明細書
【補正対象項目名】００１９
【補正方法】変更
【補正の内容】
【００１９】
本発明者等は上述の目的を達成するために、加圧インク供給の構造を根本的に見直しなされたものであり、本発明のインクカートリッジは、開口部を備えた筐体と、該筐体内に備えられインクを収納した可撓性のインク収納体と、該インク収納体に付設されインクの供給に係わるインク供給体とを備え、記録装置に備えられた接続部材に対して着脱可能にされており、装着されインク供給体と接続部材とが接続された状態で前記筐体と前記インク収納体との間にエアを導入してインク供給するインクカートリッジにおいて、前記インクカートリッジの前記接続部材の挿抜経路の下流側には第１シールを、上流側には第２シールを備えており、前記第１シールは、前記接続部材の先端側に備えられたインク導出口と、該インク導出口と前記接続部材の基部との間に配され外部から送られたエアをインクカートリッジ内に導入するエア導入口との間の領域で前記接続部材に対して周接してシールするものであり、前記第２シールは、前記エア導入口と前記接続部材の基部との間の領域で前記接続部材に対して周接してシールするものとして構成され、前記筺体内と連通する穴が形成されており、前記第２シールに形成された前記筺体内と連通する穴の数は１つであり、前記第１シ−ルと前記第２シールとの間には、前記筐体と前記インク収納体との間の空間に連通する間隙を備えたことを特徴とする。
【手続補正３】
【補正対象書類名】明細書
【補正対象項目名】００２０
【補正方法】変更
【補正の内容】
【００２０】
また、本発明のインクジェット記録装置は、開口部を備えた筐体と、該筐体内に備えられインクを収納した可撓性のインク収納体と、該インク収納体に付設されインクの供給に係わるインク供給体と、を備えたインクカートリッジと、前記インク収納体内のインクを記録ヘッドに導出するインク導出口を備えたインク導出路と、前記インクカートリッジの前記筐体と前記インク収納体の間の空間部にエアを導入するエア導入口を備えたエア導入路とを備えた接続部材と、該接続部材が配され前記インクカートリッジが装着される装着部と、前記インク導出路と連通して記録ヘッドにインクを供給するインク路と、前記エア導入路と連通しエアを送り出すエアポンプと、を備えた記録装置と、を備え、前記インクカートリッジが前記装着部に装着された状態で前記インクカートリッジ内にエアが導入されて加圧インク供給がなされるインクジェット記録装置において、前記接続部材には、その先端側に前記インク導出口が備えられ、このインク導出口と前記接続部材の基部との間に前記エア導入口が備えられて構成され、前記インクカートリッジには、前記接続部材の挿抜経路の下流側に第１シールが、上流側には第２シールが備えられており、前記第１シールは前記接続部材の前記インク導出口と前記エア導入口との間の領域で前記接続部材に対して周接してシールするものであり、前記第２シールは前記エア導入口と前記接続部材の基部との間の領域で前記接続部材に対して周接してシールするものとして構成され、前記第２シールには前記筺体内と連通する穴が形成されており、前記第２シールに形成された前記筺体内と連通する穴の数は１つであり、前記第１シ−ルと前記第２シールとの間には、前記筐体と前記インク収納体との間の空間に連通する間隙を備えたことを特徴とする。